(57)【特許請求の範囲】
【請求項１】
無線通信システムにおいて基地局がシーケンスの初期値（initialization value）を決定する方法であって、
擬似ランダムシーケンス（pseudo-random sequence）に基づいて、チャネル状態情報参照信号（Channel State Information-Reference Signal、ＣＳＩ−ＲＳ）のシーケンスを生成するステップと、
前記シーケンスをリソースエレメント（Resource Element、ＲＥ）上で端末（User Equipment、ＵＥ）に送信するステップと、を有し、
前記擬似ランダムシーケンスの初期値は、
0006795693.tif 000194
によって決定され、
ｎsは、無線フレーム内のスロット番号を示し、
ｌは、スロット内のＯＦＤＭシンボル番号であり、
ＮIDは、スクランブル識別子（IDentifier；ＩＤ）である、方法。
【請求項２】
前記スクランブルＩＤは、０以上であり２M−１以下である値を有する、請求項１に記載の方法。
【請求項３】
前記擬似ランダムシーケンスの初期値は、無線フレーム内の異なるＯＦＤＭシンボルに対して異なる値を有する、請求項１に記載の方法。
【請求項４】
前記ＣＳＩ−ＲＳのシーケンスが送信される前記ＲＥは、時間リソース、周波数リソース及びアンテナポートのうちの少なくとも一つを有する、請求項１に記載の方法。
【請求項５】
前記ＣＳＩ−ＲＳのシーケンスが送信される前記ＲＥは、少なくとも一つの符号分割多重（Code Division Multiplexing、ＣＤＭ）グループを有する、請求項１に記載の方法。
【請求項６】
一つのＣＤＭグループ内のアンテナポート（antenna port）には、前記ＣＳＩ−ＲＳに関して同じシーケンスが使用され、
互いに異なるＣＤＭグループ間のアンテナポートには、前記ＣＳＩ−ＲＳに関して異なるシーケンスが使用される、請求項５に記載の方法。
【請求項７】
無線通信システムにおいてシーケンスの初期値（initialization value）を決定するよう構成された基地局であって、
少なくとも１つの送受信器と、
少なくとも１つのプロセッサと、
前記少なくとも１つのプロセッサと動作可能に接続可能であり、前記少なくとも１つのプロセッサによって実行されると動作を行う指示を記憶する少なくとも１つのコンピュータメモリと、を有し、前記動作は、
擬似ランダムシーケンス（pseudo-random sequence）に基づいて、チャネル状態情報参照信号（Channel State Information-Reference Signal、ＣＳＩ−ＲＳ）のシーケンスを生成することと、
前記シーケンスをリソースエレメント（Resource Element、ＲＥ）上で端末（User Equipment、ＵＥ）に送信することと、を有し、
前記擬似ランダムシーケンスの初期値は、
0006795693.tif 000195
によって決定され、
ｎsは、無線フレーム内のスロット番号を示し、
ｌは、スロット内のＯＦＤＭシンボル番号であり、
ＮIDは、スクランブル識別子（IDentifier；ＩＤ）である、基地局。
【請求項８】
無線通信システムにおいてチャネル状態情報参照信号（Channel State Information-Reference Signal、ＣＳＩ−ＲＳ）を受信するよう構成された端末であって、
少なくとも１つの送受信器と、
少なくとも１つのプロセッサと、
前記少なくとも１つのプロセッサと動作可能に接続可能であり、前記少なくとも１つのプロセッサによって実行されると動作を行う指示を記憶する少なくとも１つのコンピュータメモリと、を有し、前記動作は、
前記ＣＳＩ−ＲＳを基地局から受信することと、
前記ＣＳＩ−ＲＳに基づいて測定を行うことと、
前記測定に関する情報を前記基地局に報告することと、を有し、
前記ＣＳＩ−ＲＳのシーケンスは、擬似ランダムシーケンス（pseudo-random sequence）に基づいて生成され、
前記擬似ランダムシーケンスの初期値は、
0006795693.tif 000196
によって決定され、
ｎsは、無線フレーム内のスロット番号を示し、
ｌは、スロット内のＯＦＤＭシンボル番号であり、
ＮIDは、スクランブル識別子（IDentifier；ＩＤ）である、端末。
【請求項９】
前記生成されたシーケンスを前記ＲＥにマッピングするステップをさらに有し、
前記シーケンスを前記ＲＥ上で送信するステップは、前記ＲＥにマッピングされたシーケンスを送信するステップを有する、請求項１に記載の方法。
【請求項１０】
前記スクランブルＩＤは、セルＩＤである、請求項１に記載の方法。
【請求項１１】
前記動作は、前記生成されたシーケンスを前記ＲＥにマッピングすることをさらに有し、
前記シーケンスを前記ＲＥ上で送信することは、前記ＲＥにマッピングされたシーケンスを送信することを有する、請求項７に記載の基地局。
【請求項１２】
前記スクランブルＩＤは、セルＩＤである、請求項７に記載の基地局。
【請求項１３】
前記スクランブルＩＤは、０以上であり２M−１以下である値を有する、請求項８に記載の端末。
【請求項１４】
前記擬似ランダムシーケンスの初期値は、無線フレーム内の異なるＯＦＤＭシンボルに対して異なる値を有する、請求項８に記載の端末。
【請求項１５】
前記スクランブルＩＤは、セルＩＤである、請求項８に記載の端末。
【発明の詳細な説明】
【技術分野】
【０００１】
本明細書は、無線通信システムに関するものであり、さらに詳細には、チャネル状態情報の参照信号（channel state information-reference signal、CSI-ＲＳ）のシーケンスに関連する初期値（initialization value）を決定する方法及びこれをサポート（支援）する（supporting）デバイス（装置）（apparatus）に関する。
【背景技術】
【０００２】
移動通信システムは、ユーザの活動性を保証しながら音声サービスを提供するために開発された。しかしながら、移動通信システムは、音声だけでなく、データサービスまで領域を拡張し、現在では爆発的なトラフィックの増加によってリソース（資源）（resource）が不足する現象が引き起こされ、ユーザがより高速のサービスを要求するので、より発展した移動通信システムが要求されている。
【０００３】
次世代の移動通信システムの要求条件は、総じて（大きく）（generally）、爆発的なデータトラフィックのサポート（収容）（supporting）、ユーザ当たりの転送レート（率）（transfer rate）の画期的な増加、大幅に増加した接続（連結）デバイス（connection devices）の個数のサポート、非常に低いエンドツーエンド（端対端）レイテンシ（遅延）（End-to-End Latency）、高エネルギ効率をサポートできなければならない。そのために、二重接続（連結性）（Dual Connectivity）、大規模多入力多出力（多重入出力）（Massive MIMO：Massive Multiple Input Multiple Output）、全二重（In-band Full Duplex）、非直交多元（多重）接続（NOMA：Non-Orthogonal Multiple Access）、超広帯域（Super wideband）サポート、端末ネットワーキング（Device Networking）など、多様な技術が研究されている。
【発明の概要】
【発明が解決しようとする課題】
【０００４】
［発明の詳細な説明］
［技術的課題］
本明細書は、ＮＲ（New Radio）システムにおいてＲＳシーケンスの初期値を設定する方法を提供することに目的がある。
【０００５】
また、本明細書においては、ＣＤＭグループ内又はＣＤＭグループ間ポート（port）に同一又は互いに異なるシーケンスを適用する方法を提供することに目的がある。
【０００６】
本発明において解決しようとする技術的課題は、以上で言及した技術的課題に限定されず、言及しない他の技術的課題は、以下の記載から、本発明が属する技術分野において通常の知識を有する者に明確に理解されることができる。
【課題を解決するための手段】
【０００７】
［技術的解決方法］
本明細書において、無線通信システムにおいてシーケンスの初期値（initialization value）を決定する方法において、基地局によって実行される方法であって、擬似ランダムシーケンス（pseudo-random sequence）に基づいて、チャネル状態情報参照信号（channel state information-reference signal、ＣＳＩ−ＲＳ）のシーケンスを生成するステップと、生成されたシーケンスをリソースエレメント（資源要素）（Resource Element、ＲＥ）にマッピングするステップと、を有し、擬似ランダムシーケンスの初期値は、第１factorと第２factorとの積に基づいて決定され、第１factorは、（スロット内のＯＦＤＭシンボルの数×スロットインデックス＋スロット内ＯＦＤＭインデックス＋１）であり、第２factorは、（２×スクランブルＩＤ ＋ 1）であり、擬似ランダムシーケンスの初期値は、第１factorと第２factorとの積に基づいて決定される第３factorを２Nでモジュロ（modulo）演算した値に基づいて決定されることを特徴とする。
【０００８】
また、本明細書において、第３factorは、（２M×（第１factor）×（第２factor）＋スクランブルＩＤ）であり、Ｎは、３１より大きいか同じである自然数であり、Ｍは、Ｎより小さい整数であることを特徴とする。
【０００９】
また、本明細書において、Ｎは、３１であり、Ｍは、１０であることを特徴とする。
【００１０】
また、本明細書において、スロット内のＯＦＤＭシンボルの数は、１４であることを特徴とする。
【００１１】
また、本明細書において、スクランブルＩＤは、０から２M−１であることを特徴とする。
【００１２】
また、本明細書において、擬似ランダムシーケンスの初期値は、無線フレーム内の各ＯＦＤＭシンボルごとに互いに異なる値を有することを特徴とする。
【００１３】
また、本明細書において、特定のリソースエレメント（ＲＥ）は、時間、周波数又はアンテナポートのうちの少なくとも一つを有することを特徴とする。
【００１４】
また、本明細書において、無線通信システムにおいてシーケンスの初期値（initialization value）を決定する基地局であって、無線信号を送受信するためのＲＦ（Radio Frequency）モジュールと、ＲＦモジュールと機能的に接続されているプロセッサと、を有し、プロセッサは、擬似ランダムシーケンス（pseudo-random sequence）に基づいて、チャネル状態情報参照信号（channel state information-reference signal、ＣＳＩ−ＲＳ）のシーケンスを生成し、生成されたシーケンスをリソースエレメント（Resource Element、ＲＥ）にマッピングするように設定され、擬似ランダムシーケンスの初期値は、第１factorと第２factorとの積に基づいて決定され、第１factorは（スロット内のＯＦＤＭシンボルの数×スロットインデックス＋スロット内ＯＦＤＭインデックス＋ １）であり、第２factorは（２×スクランブルＩＤ ＋ １）であり、擬似ランダムシーケンスの初期値は、第１factorと第２factorとの積に基づいて決定される第３factorを２Nでモジュロ（modulo）演算した値に基づいて決定されることを特徴とする。
【発明の効果】
【００１５】
［有利な効果］
本明細書は、様々なsubcarrier spacingを有するＮＲシステムにおいて、特定のscrambling ＩＤ及び/又はモジュロ（modulo）演算を通じて１０ｍｓの無線フレーム（radio frame）でシーケンスの初期値（sequence initialization value）が再利用されることを防止することができるという効果がある。
【００１６】
また、本明細書は、ＣＤＭ（Code Division Multiplexing）グループ内portには（ＣＳＩ−ＲＳ関連）のシーケンスを同様に適用することにより、ＣＳＩ獲得（acquisition）又はビーム管理（beam management）の性能を向上させることができるという効果がある。
【００１７】
本発明で得られる効果は、以上で言及した効果に制限されず、言及しない他の効果は、以下の記載から、本発明が属する技術分野において通常の知識を有する者に明確に理解される。
【図面の簡単な説明】
【００１８】
【図１】本明細書で提案する方法が適用されることができるＮＲの全体的なシステムの構造の一例を示した図である。
【図２】本明細書で提案する方法が適用されることができる無線通信システムにおけるアップリンクフレームとダウンリンクフレームとの間の関係を示す図である。
【図３】本明細書で提案する方法が適用されることができる無線通信システムでサポートされるリソースグリッド（resource grid）の一例を示す図である。
【図４】本明細書で提案する４−port ＣＳＩ−ＲＳのＰＮシーケンスのマッピング方法の一例を示した図である。
【図５】本明細書で提案する４−port ＣＳＩ−ＲＳのＰＮシーケンスのマッピングの他の一例を示した図である。
【図６】本明細書で提案する４−port ＣＳＩ−ＲＳのＰＮシーケンスのマッピングのさらに他の一例を示した図である。
【図７】本明細書で提案するシーケンスの初期値（initialization value）を決定するための端末の動作を示すフローチャートである。
【図８】本明細書で提案するシーケンスの初期値（initialization value）を決定するための基地局の動作を示すフローチャートである。
【図９】本明細書で提案する方法が適用されることができる無線通信装置の例示のブロック構成図である。
【図１０】本発明の一実施形態に係る通信装置の例示のブロック構成図である。
【図１１】本明細書で提案する方法が適用されることができる無線通信装置のＲＦモジュールの一例を示した図である。
【図１２】本明細書で提案する方法が適用されることができる無線通信装置のＲＦモジュールの他の一例を示した図である。
【発明を実施するための形態】
【００１９】
本発明に係る理解を助けるために詳細な説明の一部として含まれる添付図面は、本発明の実施例を提供し、詳細な説明と共に本発明の技術的特徴を説明する。
【００２０】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は、本発明がこのような具体的な細部事項無しでも実施できることが分かる。
【００２１】
幾つかの場合、本発明の概念が曖昧になることを避けるために公知の構造及び装置は省略されるか、又は各構造及び装置の中核機能を中心としたブロック図形式で図示できる。
【００２２】
本明細書で、基地局は、端末と直接通信を行う（遂行する）（communicates）ネットワークの終端ノード（terminal node）としての意味を有する。本文書で、基地局により行われ（遂行され）る（performed）ものとして説明された特定の動作は、場合によっては、基地局の上位ノード（upper node）により実行されることもできる。即ち、基地局を含む複数のネットワークノード（network nodes）からなるネットワークで、端末との通信のために実行される多様な動作は、基地局又は基地局以外の他のネットワークノードにより実行できることは自明である。‘基地局（BS：Base Station）’は、固定局（fixed station）、Node B、eNB（evolved-NodeB）、BTS（base transceiver system）、アクセスポイント（AP：Access Point）、gNB（general NB）などの用語により置き換えできる。また、‘端末（Terminal）’は、固定されるか、又は移動性（mobility）を有することができ、UE（User Equipment）、MS（Mobile Station）、UT（user terminal）、MSS（Mobile Subscriber Station）、SS（Subscriber Station）、AMS（Advanced Mobile Station）、WT（Wireless terminal）、MTC（Machine-Type Communication）装置、M2M（Machine-to-Machine）装置、D2D（Device-to-Device）装置などの用語に置き換えできる。
【００２３】
以下、ダウンリンク（DL：downlink）は基地局から端末への通信を意味し、アップリンク（UL：uplink）は端末から基地局への通信を意味する。ダウンリンクにおいて、送信器は基地局の一部であり、受信器は端末の一部でありうる。アップリンクにおいて、送信器は端末の一部であり、受信器は基地局の一部でありうる。
【００２４】
以下の説明で使われる特定の用語は、本発明の理解を助けるために提供されたものであり、これらの特定用語の使用は、本発明の技術的思想を逸脱しない範囲で異なる形態に変更できる。
【００２５】
以下の技術は、CDMA（code division multiple access）、FDMA（frequency division multiple access）、TDMA（time division multiple access）、OFDMA（orthogonal frequency division multiple access）、SC-FDMA（single carrier frequency division multiple access）、NOMA（non-orthogonal multiple access）などの多様な無線アクセス（接続）（access）システムに利用できる。CDMAは、UTRA（universal terrestrial radio access）やCDMA２０００などの無線技術（radio technology）で具現できる。TDMAは、GSM（登録商標）（global system for mobile communications）／GPRS（general packet radio service）／EDGE（enhanced data rates for GSM evolution）などの無線技術で具現できる。OFDMAは、IEEE ８０２．１１（WiFi（登録商標））、IEEE ８０２．１６（WiMAX）、IEEE ８０２-２０、E-UTRA（evolved UTRA）などの無線技術で具現できる。UTRAは、UMTS（universal mobile telecommunications system）の一部である。３GPP（3rd generation partnership project）LTE（long term evolution）は、E-UTRAを使用するE-UMTS（evolved UMTS）の一部であって、ダウンリンクでOFDMAを採用し、アップリンクでSC-FDMAを採用する。LTE-A（advanced）は３GPP LTEが発展したものである。
【００２６】
５G NRは、usage scenario（利用シナリオ）によって、eMBB（enhanced Mobile Broadband）、mMTC（massive Machine Type Communications）、URLLC（Ultra-Reliable and Low Latency Communications）、V2X（vehicle-to-everything）を定義する。
【００２７】
そして、５G NR規格（standard）は、NRシステムとLTEシステムとの間の共存（co-existence）によってstandalone（SA）とnon-standalone（NSA）とに区別（区分）する（distinguishes）。
【００２８】
そして、５G NRは、多様なサブキャリア間隔（subcarrier spacing）をサポートし、ダウンリンクでCP-OFDMを、アップリンクでCP-OFDM及びDFT-s-OFDM（SC-OFDM）をサポートする。
【００２９】
本発明の実施形態は、無線アクセスシステムであるIEEE ８０２、３GPP、及び３GPP２のうち、少なくとも１つに開示された標準文書により裏付けられる。即ち、本発明の実施形態のうち、本発明の技術的思想を明確に示すために説明しないステップ又は部分は上記文書により裏付けられる。また、本文書で開示している全ての用語は上記標準文書により説明できる。
【００３０】
説明を明確にするために、３GPP LTE／LTE-Aを中心として技術するが、本発明の技術的特徴がこれに制限されるものではない。
【００３１】
用語の定義
【００３２】
eLTE eNB：eLTE eNBは、EPC（Evolved Packet Core）及びNGC（Next Generation Core）に対する接続をサポートするeNBが発展したもの（evolution）である。
gNB：NGCとの接続だけでなく、NRをサポートするノード。
【００３３】
新たなRAN：NR又はE-UTRAをサポートするか、又はNGCと相互作用する無線アクセスネットワーク。
【００３４】
ネットワークスライス（network slice）：ネットワークスライスは、端末（終端）間の（inter-terminal range）範囲と共に特定の要求事項を要求する特定の市場シナリオ（market scenario）に対して最適化された解決法（ソリューション）（solution）を提供するようにoperatorにより定義されたネットワーク。
【００３５】
ネットワーク機能（network function）：ネットワーク機能は、よく定義された外部インターフェースとよく定義された機能的動作とを有するネットワークインフラ内での論理的ノード。
【００３６】
NG-C：新たなRANとNGCとの間のNG２リファレンスポイント（reference point）に使われる制御プレーン（制御平面）（control plane）インターフェース。
【００３７】
NG-U：新たなRANとNGCとの間のNG３リファレンスポイント（reference point）に使われるユーザプレーン（ユーザ平面）（user plane）インターフェース。
【００３８】
非独立型（Non-standalone）NR：gNBが、LTE eNBをEPCへの制御プレーン接続のためのアンカとして要求するか、又はeLTE eNBをNGCへの制御プレーン接続のためのアンカとして要求する配置構成。
【００３９】
非独立型E-UTRA：eLTE eNBが、NGCへの制御プレーン接続のためのアンカとしてgNBを要求する配置構成。
【００４０】
ユーザプレーンゲートウェイ：NG-Uインターフェースのエンドポイント（終端点）（terminal point）。
【００４１】
図１は、本明細書で提案する方法が適用できるNRの全体的なシステム構造の一例を示した図である。
【００４２】
図１を参照すると、NG-RANは、NG-RAユーザプレーン（新たなAS sublayer／PDCP／RLC／MAC／PHY）及びUE（User Equipment）に対する制御プレーン（RRC）プロトコル終端（protocol terminal）を提供するgNBで構成される。
【００４３】
上記gNBは、Xnインターフェースを通じて相互接続（連結）される（connected）。
【００４４】
また、上記gNBは、NGインターフェースを通じてNGCに接続される。
【００４５】
より具体的には、上記gNBは、N２インターフェースを通じてAMF（Access and Mobility Management Function）に、N３インターフェースを通じてUPF（User Plane Function）に接続される。
【００４６】
NRヌメロロジ（Numerology）及びフレーム（frame）構造
【００４７】
NRシステムでは、複数のヌメロロジ（numerology）をサポートできる。ここで、ヌメロロジは、サブキャリア間隔（subcarrier spacing）及びCP（Cyclic Prefix）オーバーヘッドにより定義できる。この際、複数のサブキャリア間隔は、基本サブキャリア間隔を整数N（又は、μ）にスケーリング（scaling）することにより導出（誘導）できる（derived）。また、非常に高い搬送波周波数で非常に低いサブキャリア間隔を利用しないと仮定されても、用いられるヌメロロジは、周波数帯域と独立して選択できる。
【００４８】
また、NRシステムでは、複数のヌメロロジに従う多様なフレーム構造をサポートできる。
【００４９】
以下、NRシステムで考慮できるOFDM（Orthogonal Frequency Division Multiplexing）ヌメロロジ及びフレーム構造を説明する。
【００５０】
NRシステムでサポートされる複数のOFDMヌメロロジは、表１のように定義できる。
【００５１】
＜表１＞
【表１】
0006795693.tif 000002
【００５２】
ここで、
0006795693.tif 000003
であり、
0006795693.tif 000004
である。ダウンリンク（downlink）及びアップリンク（uplink）転送は、
0006795693.tif 000005
の区間を有する無線フレーム（radio frame）で構成される。ここで、無線フレームは、各々
0006795693.tif 000006
の区間を有する１０個のサブフレーム（subframe）で構成される。この場合、アップリンクに対する１セットのフレーム及びダウンリンクに対する１セットのフレームが存在することができる。
【００５３】
図２に示すように、端末（User Equipment、UE）からのアップリンクフレーム番号iの転送は、
【００５４】
該当端末での該当ダウンリンクフレームの開始より
0006795693.tif 000007
以前に始めなければならない。
【００５５】
ヌメロロジμに対して、スロット（slot）は、サブフレーム内で
0006795693.tif 000008
の増加する順に番号が付けられて、無線フレーム内で
0006795693.tif 000009
の増加する順に番号が付けられる。１つのスロットは、
0006795693.tif 000010
の連続するOFDMシンボルで構成され、
0006795693.tif 000011
は用いられるヌメロロジ及びスロット設定（slot configuration）によって決定される。サブフレームでスロット
0006795693.tif 000012
の開始は、同一サブフレームでOFDMシンボル
0006795693.tif 000013
の開始と時間的に整列される（合わせられる）（temporally aligned）。
【００５６】
全ての端末が同時に送信及び受信できるものではなく、これは、ダウンリンクスロット（downlink slot）又はアップリンクスロット（uplink slot）の全てのOFDMシンボルが使用可能でない（利用できない）（not all OFDM symbols in a DL slot or an UL slot are available to be used）ことを意味する。
【００５７】
表２は、ヌメロロジμでのノーマル（一般）（normal）CPに対するスロット当たりのOFDMシンボルの数を示し、表３は、ヌメロロジμでの拡張（extended）CPに対するスロット当たりのOFDMシンボルの数を示す。
【００５８】
＜表２＞
【表２】
0006795693.tif 000014
【００５９】
＜表３＞
【表３】
0006795693.tif 000015
【００６０】
NR物理リソース（NR Physical Resource）
【００６１】
NRシステムにおける物理リソース（physical resource）と関連して、アンテナポート（antenna port）、リソースグリッド（resource grid）、リソースエレメント（resource element）、リソースブロック（resource block）、キャリアパート（carrier part）などが考慮できる。
【００６２】
以下、NRシステムで考慮できる上記物理リソースに関して具体的に説明する。
【００６３】
まず、アンテナポートと関連して、アンテナポートは、１つのアンテナポート上のシンボルが運搬されるチャネルが、同一のアンテナポート上の他のシンボルが運搬されるチャネルから推論できるように定義される。１つのアンテナポート上のシンボルが運搬されるチャネルの広範囲特性（large-scale property）が他のアンテナポート上のシンボルが運搬されるチャネルから類推できる場合、２つのアンテナポートは、QC／QCL（quasi co-located又はquasi co-location）関係にあるということができる。ここで、上記広範囲特性は、遅延拡散（Delay spread）、ドップラ拡散（Doppler spread）、周波数シフト（Frequency shift）、平均受信電力（Average received power）、受信タイミング（Received Timing）のうちの１つ又は複数を含む。
【００６４】
図３は、本明細書で提案する方法が適用されることができる無線通信システムでサポートするリソースグリッド（resource grid）の一例を示す。
【００６５】
図３を参考すると、リソースグリッドが周波数領域上に
0006795693.tif 000016
個のサブキャリアで構成され、１つのサブフレームが１４・２μOFDMシンボルで構成されることを例示的に記述するが、これに限定されるものではない。
【００６６】
NRシステムにおいて、転送される信号（transmitted signal）は、
0006795693.tif 000017
個のサブキャリアで構成される１つ又は複数のリソースグリッド及び
0006795693.tif 000018
個のOFDMシンボルにより説明される。
ここで、
0006795693.tif 000019
である。上記
0006795693.tif 000020
は最大転送帯域幅を示し、これは、ヌメロロジだけでなく、アップリンクとダウンリンクとの間でも変わることができる。
【００６７】
この場合、図３のように、ヌメロロジμ及びアンテナポートｐ別に１つのリソースグリッドが設定できる。
【００６８】
ヌメロロジμ及びアンテナポートｐに対するリソースグリッドの各要素は、リソースエレメント（resource element）と称され、インデックス対
0006795693.tif 000021
により一意に（固有的に）（uniquely）識別される。ここで、
0006795693.tif 000022
は、周波数領域上のインデックスであり、
0006795693.tif 000023
は、サブフレーム内におけるシンボルの位置を称する。
【００６９】
ここで、
0006795693.tif 000024
である。ヌメロロジμ及びアンテナポートｐに対するリソースエレメント
0006795693.tif 000025
は、複素値（complex value）
0006795693.tif 000026
に該当する。混同（confusion）する危険がない場合、又は特定アンテナポート又はヌメロロジが特定されない場合には、インデックスｐ及びμはドロップ（drop）されることができ、その結果、複素値は、
0006795693.tif 000027
又は
0006795693.tif 000028
になることができる。
【００７０】
また、物理リソースブロック（physical resource block）は、周波数領域上の
0006795693.tif 000029
個の連続するサブキャリアとして定義される。周波数領域上で、物理リソースブロックは、０から
0006795693.tif 000030
までの番号が付けられる。この際、周波数領域上の物理リソースブロック番号（physical resource block number）
0006795693.tif 000031
とリソースエレメント
0006795693.tif 000032
との間の関係は、数式１のように与えられる。
【００７１】
＜数式１＞
【数１】
0006795693.tif 000033
また、キャリアパート（carrier part）と関連して、端末は、リソースグリッドのサブセット（subset）のみを用いて受信又は転送するように設定できる。この際、端末が受信又は転送するように設定されたリソースブロックの集合（set）は、周波数領域上で０から
0006795693.tif 000034
までの番号が付けられる。
【００７２】
まず、参照信号（Reference Signal、ＲＳ）のシーケンス初期化（sequence initialization）のための従来の方法に対し簡略的に見て、本明細書で提案する（New Radio、ＮＲで）ＲＳシーケンスを初期化する方法について具体的に説明する。
【００７３】
ＮＲによってサポートされるscrambling identity（又はscrambling ＩＤ）の数とＯＦＤＭ（Orthogonal Frequency Division Multiplexing）symbolの数とを考慮すると、初期シード（initial seed）ｃinitを表現するために要するビット数は、３４bitsである。
【００７４】
上記scrambling identityの数は、physical cell identityの数と同じであり得る。
【００７５】
そして、上記scrambling identityの数は、数式２に関連する既存（ＬＴＥ）の長さが３１のゴールドシーケンス（length-31 Gold sequence）を利用して満たす（satisfied）ことができない。
【００７６】
したがって、ＮＲのために長さが６３のゴールドシーケンスに基づく新しいＰＮ sequenceを設計する必要がある。
【００７７】
＜数式２＞
【数２】
0006795693.tif 000035
【００７８】
ここで、c（i）は、擬似ランダムシーケンス（pseudo-random sequence）を示し、
0006795693.tif 000036
は、無線フレーム（radio frame）内のスロット番号であり、
0006795693.tif 000037
は、スロット内のＯＦＤＭシンボル番号であり、nSCIDは、scrambling ＩＤを示す。
【００７９】
ＲＳシーケンスの初期化のための他の方法として、数式３によって初期化されることができる。
【００８０】
＜数式３＞
【数３】
0006795693.tif 000038
【００８１】
数式３で、関数（function）
0006795693.tif 000039
及び
0006795693.tif 000040
は、最大２１bitsを使用して選択される。
ここで、
0006795693.tif 000041
は、無線フレーム（radio frame）でスロット番号（slot number）であり、
0006795693.tif 000042
から始まる。
0006795693.tif 000043
は、スロット
0006795693.tif 000044
内のシンボルのインデックス（symbol index）である。
【００８２】
そして、
0006795693.tif 000045
は、独立してＤＬ及びＵＬの上位層（higher layer）によって設定されるセット及び（さらに）スケジューリングＤＣＩによるセットから選択される０と１００７との間の番号（number）を示す。
【００８３】
上記
0006795693.tif 000046
値は、上位層によって設定されない場合、cell ＩＤ(
0006795693.tif 000047
)と同じであり得る。
【００８４】
そして、
0006795693.tif 000048
は、ＲＳタイプ（type）と関連付けられた番号（number）を示す。
【００８５】
0006795693.tif 000049
の他のｃinitは、以下の数式４と同じである。
【００８６】
＜数式４＞
【数４】
0006795693.tif 000050
【００８７】
ここで、ＮCPは、ノーマル（normal）ＣＰの場合、１を示し、拡張（extended）ＣＰの場合、０を示す。
【００８８】
次に、ＬＴＥシステムで定義しているＲＳシーケンスについて注意深く見る。
【００８９】
参照信号シーケンス（reference signal sequence）
0006795693.tif 000051
は、数式５によって定義される。
【００９０】
＜数式５＞
【数５】
0006795693.tif 000052
【００９１】
ここで、
0006795693.tif 000053
は、無線フレーム（radio frame）内のスロット番号であり、
0006795693.tif 000054
は、スロット内のＯＦＤＭシンボル番号である。
【００９２】
擬似ランダムシーケンス（pseudo-random sequence）
0006795693.tif 000055
は、以下の数式７によって定義される。
【００９３】
そして、擬似ランダムシーケンスジェネレータ（pseudo-random sequence generator）は、数式６を満たすスロットにおいて（から）各ＯＦＤＭシンボルの開始から
0006795693.tif 000056
に初期化される。
【００９４】
＜数式６＞
【数６】
0006795693.tif 000057
【００９５】
ここで、quantity
0006795693.tif 000058
は、上位層（higher layer）によって設定されない場合、
0006795693.tif 000059
と同じである。
【００９６】
そして、先に注意深く見た擬似ランダムシーケンスは、長さが３１のgold sequenceによって定義され、長さが
0006795693.tif 000060
の出力シーケンス（output sequence）
0006795693.tif 000061
は、数式７によって定義される。
【００９７】
＜数式７＞
【数７】
0006795693.tif 000062
【００９８】
ここで、
0006795693.tif 000063
であり、
0006795693.tif 000064
、最初のｍ−シーケンス（first m-sequence、ｘ１（ｎ））は、
0006795693.tif 000065
に初期化される。
【００９９】
第二のｍ−シーケンス（second m-sequence）は、当該シーケンスの応用（application）に依存する値を有する
0006795693.tif 000066
で表現される。
【０１００】
ＬＴＥシステムのＰＲＢ（Physical Resource Block）が１４個のＯＦＤＭシンボルを含むものと同様に、ＮＲヌメロロジ（ニューモロロジ）（numerology）においても一つのslotは１４個のＯＦＤＭ symbolを含む。
【０１０１】
しかしながら、ＮＲシステムは、様々なsubcarrier spacing（ＳＣＳ）（１５ＫＨｚ〜４８０ｋＨｚ）をサポートするために、１つの（radio）frameは、１０個乃至３２０個のスロットを含むことができる。
【０１０２】
以下で、本明細書で提案する限られたビット数を活用して、効果的に参照信号（ＲＳ）のシーケンス初期値（sequence initialization）を設定する方法について注意深く見る。
【０１０３】
上記参照信号（ＲＳ）は、チャネル状態情報参照信号（channel state information-reference signal、ＣＳＩ−ＲＳ）、復調参照信号（demodulation ＲＳ、ＤＭＲＳ）、時間及び周波数トラッキング参照信号（time and frequency tracking ＲＳ、ＴＲＳ）、位相トラッキング参照信号（phase tracking ＲＳ、ＰＴＲＳ）などであり得る。
【０１０４】
前に注意深く見たＬＴＥシステムのＣＳＩ−ＲＳシーケンスの初期化（sequence initialization）方法に基づいて、一つのスロットが１４個のＯＦＤＭ symbolで構成されるＮＲ system numerology及びcell ＩＤ（Identifier）が１００８個である点を考慮すると、sequence initialization値は、以下の数式８のようになります。
【０１０５】
＜数式８＞
【数８】
0006795693.tif 000067
【０１０６】
ここで、数式８に含まれたパラメータの定義及び各パラメータの値の範囲は、以下の通りである。
【０１０７】
(１)
0006795693.tif 000068
ＲＳ ＩＤ又は一時的なＵＥ ＩＤなどを示すパラメータとして、基地局から設定されない場合、cell ＩＤと同じ値を有する。
【０１０８】
そして、
0006795693.tif 000069
は、端末固有（特定）（ＵＥ specifically）に設定されるscrambling ＩＤを意味する。
【０１０９】
本明細書で使用されるＩＤは、identity又はidentifier、identificationなどで表現されることができる。
【０１１０】
(２)
0006795693.tif 000070
: スロット内ＯＦＤＭ symbol indexを表すパラメータである。
【０１１１】
(３)
0006795693.tif 000071
：ＮＲシステムのslot indexを表すパラメータであって、サポートするシステムのsubcarrier numerologyに応じて、以下のような範囲を有する。
【０１１２】
−１５ｋＨｚ：
0006795693.tif 000072
【０１１３】
−３０ＫＨｚ：
0006795693.tif 000073
【０１１４】
−６０ｋＨｚ：
0006795693.tif 000074
【０１１５】
−１２０ＫＨｚ：
0006795693.tif 000075
【０１１６】
−２４０ ＫＨｚ：
0006795693.tif 000076
【０１１７】
−４８０ｋＨｚ：
0006795693.tif 000077
【０１１８】
0006795693.tif 000078
値は、上記数式６で定義された値と同じ値を有する。
【０１１９】
すなわち、
0006795693.tif 000079
値は、ノーマル（normal）ＣＰについては、「１」であり、拡張（extended）ＣＰについては「０」である。
【０１２０】
m-sequenceの初期化のために数式８のｃinitを使用する場合、subcarrier spacingは１５ＫＨｚ又は３０ＫＨｚであり得る。
【０１２１】
１５ｋＨｚ、３０ＫＨｚ以外のsubcarrier spacing numerologyが使用できない理由は、数式８のｃinit値が２31を超えるからである。
【０１２２】
ちなみに、subcarrier spacingが６０ｋＨｚであり、
0006795693.tif 000080
である場合、
0006795693.tif 000081
である。
【０１２３】
これを補完するために（１５ＫＨｚ及び３０ＫＨｚ以外のsubcarrier spacing numerologyをサポートするために）、以下の数式９のようなm-sequence初期値を定義することができる。
【０１２４】
＜数式９＞
【数９】
0006795693.tif 000082
【０１２５】
数式９で、「A mod B」は、AをBで割った余りを意味するmodulo演算を意味する。
【０１２６】
数式９を補完して、１０ｍｓ duration frameに含まれる総slot数が１０個、２０個、４０個、８０個（これに対応するsubcarrier spacingがそれぞれ１５ｋＨｚ、３０ＫＨｚ、６０ｋＨｚ、１２０ＫＨｚ）の場合、１０ｍｓの間、それぞれのＯＦＤＭ symbolごとにすべて異なるシーケンスの初期化（sequence initialization）の値を使用できるように、以下の数式１０のようにm-sequence初期値を設定することができる。
【０１２７】
＜数式１０＞
【数１０】
0006795693.tif 000083
【０１２８】
そして、数式１０の
0006795693.tif 000084
における「＋１」は、数式１０の全体が「０」になることを防止するためのもので、
0006795693.tif 000085
値の範囲が０ではない自然数で構成される場合、「＋１」は削除することができる。
【０１２９】
上記数式１０において、「＋１」が０である場合、上記数式１０は、次の数式１１と同じ数式を意味し、数式１２〜１５によって証明されることができる。
【０１３０】
＜数式１１＞
【数１１】
0006795693.tif 000086
【０１３１】
数式１１において、
0006795693.tif 000087
と仮定する。
【０１３２】
Modulo operation distribution propertyによって数式１２のような関係が成立する。
【０１３３】
＜数式１２＞
【数１２】
0006795693.tif 000088
【０１３４】
数式１２において、
0006795693.tif 000089
数式１３及び数式１４が定義される。
【０１３５】
＜数式１３＞
【数１３】
0006795693.tif 000090
【０１３６】
＜数式１４＞
【数１４】
0006795693.tif 000091
【０１３７】
例えば、８ｙを３ｙで割ると、残りは常に２ｙとなる。
【０１３８】
したがって、
0006795693.tif 000092
が成立して、数式１４も同様に成立する。
【０１３９】
したがって、数式１２を以下の数式１５のように表すことができる。
【０１４０】
＜数式１５＞
【数１５】
0006795693.tif 000093
0006795693.tif 000094
0006795693.tif 000095
0006795693.tif 000096
【０１４１】
数式１５の２行目において、
0006795693.tif 000097
の最大値は、
0006795693.tif 000098
であり（がなり）、
0006795693.tif 000099
の最大値は、
0006795693.tif 000100
である。
【０１４２】
したがって、上記数式１５の２行目の
0006795693.tif 000101
における括弧内の最大値は、
0006795693.tif 000102
であるので、２行目の
0006795693.tif 000103
は、省略することができる。
【０１４３】
結果的に、上記数式１０と上記数式１１とは、同じ数式である。
【０１４４】
前に注意深く見た既存のＲＳシーケンスを初期化する方法と比べて、本明細書で提案するＲＳシーケンスを初期化する方法は、時間に関するモジュロ（のモジュールとして）（modulo）演算ではなく、ＣＳＩ−ＲＳ ＩＤ、又はcell ＩＤ、又は一時（臨時）的な（temporary）ＵＥ ＩＤなどを表すことができるfactor（例えば、
0006795693.tif 000104
)のすべてを反映してmodulo演算を採用した（取った）ことが特徴的である（not modulo operation for time, but modulo operation is adopted by incorporating all of factors (e.g., N_ID) capable of indicating a CSI-RS ID, cell ID or temporary UE ID）。
【０１４５】
そして、二つ以上のＲＳにおいて（例えば、ＣＳＩ−ＲＳ及びＤＭＲＳ）ＲＳ initializationのために、数式１０は、同様に使用することができる。
【０１４６】
このとき、数式１０の
0006795693.tif 000105
値がＲＳ typeによって異なるように変更することができる。
【０１４７】
本明細書で使用される「変更」という用語は、「設定」又は「定義」などで表現されることができる。
【０１４８】
そして、１０ｍｓ duration frame（又はradio frame）に含まれる総slot数が８０個である（subcarrier spacing １２０ＫＨｚ）場合にも、１０ ｍｓの間、それぞれのＯＦＤＭ symbolごとに異なる（すべての他の）sequence initializationの値を使用することができる（a different sequence initialization value may be used for each OFDM symbol during 10 ms）。
0006795693.tif 000106
【０１４９】
0006795693.tif 000107
【０１５０】
これに対し、subcarrier spacingが２４０ＫＨｚ及び４８０ＫＨｚの場合、それぞれ１０ｍｓ duration frameに合計１６０個及び３２０個のslotが含まれる。
【０１５１】
したがって、数式１０のように、modulo operationなどの追加的な演算がない場合、１０ｍｓの間、すべてのＯＦＤＭシンボルにおいて互いに異なるsequence initialization valueを使用することができない。
【０１５２】
0006795693.tif 000108
【０１５３】
数式１０がＣＳＩ−ＲＳ sequence initializationに使用されるとき、subcarrier spacing numerology ４８０ｋＨｚであるシステムにおいて（１０ｍｓ frameに３２０個のslotが含まれる）５１２番目のセル（又は基地局）（cell ＩＤ ５１１ indexed from ０）又は特定のセルで
0006795693.tif 000109
に設定される場合、１０ｍｓ duration frameで
0006795693.tif 000110
個のＯＦＤＭ symbol間隔で、以前に使用されたsequence initialization valueが再び使用されることができる。
【０１５４】
これは
0006795693.tif 000111
が
0006795693.tif 000112
と
0006795693.tif 000113
との最大公約数であるため、発生する問題であり、５１２番目cell ＩＤすなわち、
0006795693.tif 000114
は、排除して使用することが望ましい。
【０１５５】
0006795693.tif 000115
の代わりに
0006795693.tif 000116
を使用し、５１３番目のcell ＩＤ及び/又は５１３番目のscrambling ＩＤからindexを１ずつ増加して使用することができる。
【０１５６】
本明細書で使用される「Ａ及び/又はＢ」は「Ａ又はＢのうち、少なくとも一つを含む」と同じ意味で解釈されることができる。
【０１５７】
すなわち、
0006795693.tif 000117
が定義又は設定されることができる。
【０１５８】
又は、５１２番目のcell ＩＤ及び/又は５１２番目のscrambling ＩＤに対応するインデックスは、
0006795693.tif 000118
に設定されることができる。
【０１５９】
スロットインデックス（slot index）及びＯＦＤＭシンボルインデックス（symbol index）を含む数式に
0006795693.tif 000119
を掛け算した結果に対してmodulo演算を実行する数式１０と異なり、数式９は、
0006795693.tif 000120
を掛け算した結果についてmodulo演算を実行する（とる）（performed）というのが特徴的である。
【０１６０】
0006795693.tif 000121
は
0006795693.tif 000122
値に関係なく、常に奇数であるので、slot index及びＯＦＤＭ symbol indexを含む式に関する掛け算値が
0006795693.tif 000123
にならない。
【０１６１】
したがって、これにより、すべてのcell ＩＤ及び/又はすべてのscrambling ＩＤに対して、１０ｍｓ frameの間に（during the 10ms frame）sequence initializationの値が再び使用されることを防止することができる。
【０１６２】
したがって、sequence initializationのために提示した数式９のように、
0006795693.tif 000124
又は
0006795693.tif 000125
などの
0006795693.tif 000126
以上の値と
0006795693.tif 000127
との値を掛けたもののmodulo演算は、技術的にも重要な意味を有す。
【０１６３】
端末固有に（ＵＥ-specifically）設定されるscrambling ＩＤに割り当てられる情報量を（bits）変更するために、数式９のmodulo値は変更されることができる。
【０１６４】
また、互いに異なる（他の）（different）セル間の干渉ランダム化（interference randomization）のために、互いに異なるセルは、互いに異なる（数式１０の）modulo値を使用することができる。
【０１６５】
端末の実現の観点から、不必要なmodulo演算を避けるために、modulo演算が必要な場合について、以下の数式１６及び数式１７のように定義することもできる。
【０１６６】
＜数式１６＞
【数１６】
0006795693.tif 000128
【０１６７】
＜数式１７＞
【数１７】
0006795693.tif 000129
【０１６８】
ここで、Ｋ値は、最大１４６であると定義することができる。すなわち、１４６以下の自然数の値の一つで定義することができる。
【０１６９】
また、基地局は、ＲＲＣ（Radio Resource Control）などの上位層シグナリング（higher layer signaling）を介してＫ値を端末に指示又は設定することができる。
【０１７０】
また、セルごとに１つ又は複数のＩＤが必要な場合、
0006795693.tif 000130
値の範囲は、cell ＩＤ数よりも大きいか、又はcell ＩＤのfeasible rangeより大きい値を有するtemporary ＵＥ ＩＤなどのfactorを導入してsequence initializationに利用することができる。
【０１７１】
便宜上、notation
0006795693.tif 000131
はそのまま使用し、この値の範囲（又は、これに相当する他のfactorを導入したとき、導入されたfactor値の範囲）に従って、（Gold sequenceを構成する第二の）m-sequence初期値は、以下の数式１８のように定義することができる。
【０１７２】
＜数式１８＞
【数１８】
0006795693.tif 000132
【０１７３】
ここで、
0006795693.tif 000133
であり、
0006795693.tif 000134
、M及びNは、すべて自然数であり、
0006795693.tif 000135
である。
【０１７４】
また、数式１７で、特定のＫ値を仮定して、式１０を変形することもできる。
【０１７５】
例えば、
0006795693.tif 000136
と仮定すると、sequence initialization値は、数式１９のように定義することができる。
【０１７６】
＜数式１９＞
【数１９】
0006795693.tif 000137
【０１７７】
数式９と同様に、１０ｍｓ duration frameに含まれるslotの数が８０より大きい場合、８０個のslotの周期でsequence initialization値が再使用される。
【０１７８】
本明細書で提案するsequence initialization設定方法は、参照信号の設計の容易さ、運用、及び実現の便宜のために、CSI−ＲＳ、ＴＲＳ、ＤＭＲＳ、ＰＴＲＳなどの多様なタイプのRSに共通して適用されることができる。
【０１７９】
そのために、ＲＳ Typeを反映して、数式２０のように、sequence initializationの値を設定することができる。
【０１８０】
＜数式２０＞
【数２０】
0006795693.tif 000138
【０１８１】
ここで、
0006795693.tif 000139
【０１８２】
ＭはＮより小さい整数であり、Ｌは０を含む自然数であり、ＲＳ typeを示すビット数を意味する。
0006795693.tif 000140
はcell ＩＤ又はＣＳＩ−ＲＳ ＩＤであり、higher layer signalingを介して設定される。
【０１８３】
上記数式２０は、数式１８に
0006795693.tif 000141
を導入してＲＳ typeを示す部分を追加したものである。
【０１８４】
例えば、ＣＳＩ−ＲＳ、ＤＭＲＳ、ＴＲＳ、ＰＴＲＳに、一つの数式２０を用いてm-sequence initializationを実行すると仮定すると、ＣＳＩ−ＲＳ、ＤＭＲＳ、ＴＲＳ、ＰＴＲＳを、それぞれ
0006795693.tif 000142
に設定又は定義することができる。
【０１８５】
特定のＭ、Ｎ、Ｌの値に対して、数式２０は、数式１６、数式１７のように表すことができる。
【０１８６】
そして、Ｍ、Ｎ、Ｌの値に応じて、可能な最大のＫ値を計算することは、直観的に可能であるので、これも本発明の内容に含まれると見られる。
【０１８７】
上記数式２０で、
0006795693.tif 000143
の代わりに、ＣＳＩ−ＲＳ ＲＥ densityの関数
0006795693.tif 000144
を定義することもできる。
【０１８８】
この場合、ＣＳＩ−ＲＳ ＲＥ densityによってチャネル情報を取得するためのＣＳＩ−ＲＳに使用するシーケンスの初期値であるか、又はfine time-frequency trackingに使用するＣＳＩ−ＲＳであるかを識別（区分）する（identified）ことができる。
【０１８９】
例えば、
0006795693.tif 000145
【０１９０】
N(D)=0である場合、端末は、シーケンスの初期値を、fine time-frequency trackingのためのＣＳＩ−ＲＳシーケンスの初期値として認知して、N(D)=1である場合には、ＣＳＩ acquisitionのためのＣＳＩ−ＲＳシーケンスの初期値として認知することができる。
【０１９１】
上記数式２０において、
0006795693.tif 000146
に２ ｂｉｔｓを割り当てて設定されるＣＳＩ−ＲＳの用途が識別（区分）されることができる。
【０１９２】
すなわち、上記ＣＳＩ−ＲＳの用途は、ＣＳＩ acquisitionのためのＣＳＩ−ＲＳ、beam managementのためのＣＳＩ−ＲＳ、又はfine time-frequency trackingのＣＳＩ−ＲＳ等であり得る。
【０１９３】
例えば、
0006795693.tif 000147
である場合、fine time-frequency trackingのためのＣＳＩ−ＲＳ、
0006795693.tif 000148
である場合、ＣＳＩ acquisitionのためのＣＳＩ−ＲＳ、
0006795693.tif 000149
である場合、beam managementのためのＣＳＩ−ＲＳとして定義することができる。
【０１９４】
他の例として、N_Typeに1 bitを割り当てて、各bitの値に基づいてＣＳＩ acquisitionのためのＣＳＩ−ＲＳ、beam managementのためのＣＳＩ−ＲＳ、fine time-frequency trackingのためのＣＳＩ−ＲＳの３つのタイプのうち、二つのタイプを識別するように設定又は定義することができる。
【０１９５】
数式１０のＭ-sequence initialization値を数式２１のように全体を
0006795693.tif 000150
でmodulo演算を採用する（とる）（adopt）ように定義することができる。
【０１９６】
＜数式２１＞
【数２１】
0006795693.tif 000151
【０１９７】
長さが３１のgold sequenceを使用する際、subcarrier spacing numerologyが比較的大きい１２０ＫＨｚ以上の場合、数式２０でＬ＝ ０と定義してＲＳ typeを示す部分を除外することにより、sequence initialization値の再使用を最小にすることができる。
【０１９８】
上記数式２１をＣＳＩ−ＲＳ sequenceのinitializationに使用する場合、数式１０の場合と同様に、subcarrier spacing numerology ４８０ｋＨｚであるシステムで（１０ｍｓ frameに３２０個のslotが含まれる）５１２番目のセル（又は基地局）（cell ＩＤ５１1 indexed from ０）、又は特定のセルで
0006795693.tif 000152
で設定される場合、１０ｍｓ duration frameにおいて、
0006795693.tif 000153
個のＯＦＤＭ symbol間隔で、以前に使用されたsequence initialization valueが再使用される場合が発生する。
【０１９９】
したがって、前述したように、５１２番目のcell ＩＤ、すなわち、
0006795693.tif 000154
は排除して使用することが望ましいことがある。
【０２００】
前の数式１０を数式２０に拡張（又は変形）したものと同様に、数式９をＲＳ−typeのfactorを反映して、数式２２のように直観的に拡張することができる。
【０２０１】
＜数式２２＞
【数２２】
0006795693.tif 000155
【０２０２】
ここで、
0006795693.tif 000156
は、３１より大きいか同じである自然数を意味する。
【０２０３】
0006795693.tif 000157
は、Ｎより小さい整数であり、Ｌは、０を含む自然数でＲＳ typeを示すビット数を意味する。
【０２０４】
0006795693.tif 000158
は、cell ＩＤ又はＣＳＩ−ＲＳ ＩＤで、higher layer signalingを介して設定される。
【０２０５】
そして、数式９と違って、最後に、
0006795693.tif 000159
ではなく、
0006795693.tif 000160
を加えた。これはNCP/ECPを識別（区分）するbitを除外したものと見られる。
【０２０６】
しかしながら、modulo演算の前に、式２０と異なるように、
0006795693.tif 000161
を掛け算することにより、scrambling ＩＤによってsequence initialization値が再使用されることを防止した。
【０２０７】
すなわち、数式２２を、以下の数式２３及び数式２４のように変形することができる。
【０２０８】
＜数式２３＞
【数２３】
0006795693.tif 000162
【０２０９】
＜数式２４＞
【数２４】
0006795693.tif 000163
【０２１０】
Nは、３１より大きいか同じである自然数を意味する。
【０２１１】
先に述べたように、数式９、２２、２３、及び２４は、
0006795693.tif 000164
の掛け算及びmodulo演算を採用するというのが特徴的である。
【０２１２】
ここで、
0006795693.tif 000165
値に関係なく、常に奇数であるので、上記の数式において
0006795693.tif 000166
に乗じられる部分が
0006795693.tif 000167
にならない。
【０２１３】
すなわち、
0006795693.tif 000168
値に関係なく、一つのframe内でsequence initialization値が再使用されることを防止することができる。
【０２１４】
したがって、sequence initializationのために数式９のように
0006795693.tif 000169
以上の値と
0006795693.tif 000170
の値とを掛けたもののmodulo演算は、技術的にも重要な意味を有する。
【０２１５】
すべての
0006795693.tif 000171
値に関して、
0006795693.tif 000172
以外にも、
0006795693.tif 000173
のように、
（14n_s + l + 1）（又はslot index及びＯＦＤＭ symbolインデックスで構成される数式）に対して掛けられるtermは、
0006795693.tif 000174
（pは9より大きいか同じである自然数）値を持たないように使用することができる（
0006795693.tif 000175
以外にも、
0006795693.tif 000176
のように、すべての
0006795693.tif 000177
値に対して、
0006795693.tif 000178
（pは9より大きいか同じである自然数）値を持たないこと（14n_s + l + 1）に（又はslot index及びＯＦＤＭ symbolインデックスで構成される数式に）掛けられるtermとして使用することができる）（a term multiplied with respect to 
0006795693.tif 000179
(or an equation including a slot index and an OFDM symbol index) may be used as not having a 
0006795693.tif 000180
(p is a natural number greater than or equal to 9) value）。
【０２１６】
すなわち、すべての
0006795693.tif 000181
を満たす。
【０２１７】
したがって、
0006795693.tif 000182
以外にも、
0006795693.tif 000183
値に対して
0006795693.tif 000184
（ｐは９より大きいか同じである自然数）のような値を有さない数式及び/又は
0006795693.tif 000185
の関数などをPN sequence initializationのためにslot index及び/又はＯＦＤＭ symbol indexに掛け、modulo演算を実行することは、本発明の内容に含まれる（含無）と見られる。
【０２１８】
他の実施例として、ＣＤＭグループ間のportでは、互いに異なるsequenceを、ＣＤＭグループ内portでは同じsequenceを使用する方法について注意深く見る。
【０２１９】
後述する内容は、先に注意深く見たＲＳシーケンスの初期化設定（又は決定）方法を基礎として動作することもあるが、又は別々に動作することもできる。
【０２２０】
ＬＴＥシステムにおいて、長さがＭのＰＮシーケンスは、一つのＯＦＤＭシンボル内のすべてのＣＳＩ−ＲＳポートに対して生成され、ＰＲＢ別（有効な）の長さが１のsequenceは、１２個のsubcarrier全体に均等に割り当てられる。
【０２２１】
ここで、Ｍは、ＲＢ（ｓ）に割り当てられるＣＳＩ−ＲＳの数を示す。
【０２２２】
この場合、特定のシーケンスが予想外に（予期せず）隣接するセルのシーケンスと高い相互相関（cross correlation）を有する場合、すべてのＣＳＩ−ＲＳポートに対するＣＳＩ acquisition性能は、大幅に低下することができる。
【０２２３】
したがって、ＮＲでは、ＣＤＭグループ内のＣＳＩ−ＲＳポートに互いに異なるＰＮシーケンスが割り当てられる必要がある。
【０２２４】
さらに、各ＣＳＩ−ＲＳポートは、与えられたＯＦＤＭシンボルにおいてＲＢあたり２つの隣接周波数ＲＥを占有するので、一つのＯＦＤＭシンボルでＲＢあたり長さが２のシーケンスが使用されることがある。
【０２２５】
ＰＮシーケンスは、シーケンスの長さが増加するにつれて、さらに低い相互相関を示す。
【０２２６】
これに基づいて、ＬＴＥと比較して相互相関性能に優れたＣＳＩ−ＲＳポートグループに独立した干渉ランダム化効果を与えるために、互いに異なるＣＤＭグループのＣＳＩ−ＲＳポートは、図４にC(k)で示された互いに異なるシーケンスの要素を、与えられたＯＦＤＭシンボルにおいてＲＥに割り当てられるすべてのＣＳＩ−ＲＳに割り当てて、それぞれ互いに異なるシーケンスにマッピングされるようにする。
【０２２７】
ｋは、０, １, ２, ３, ４, ５, ６、...を示す値である。
【０２２８】
また、１つのＣＤＭグループを構成する互いに異なるＣＳＩ−ＲＳ portに、それぞれ互いに異なるsequenceを割り当てることは、orthogonalityが保証（保障）され（guaranteed）ない（設定されたＯＣＣコードで端末からorthogonalに分離することができない）ので不可能である。
【０２２９】
したがって、特定のＣＤＭグループを構成するＣＳＩ−ＲＳ portには、同じsequence elementをマッピングすることにより、port group間のsequenceを異なるように設定することが特徴的である。
【０２３０】
すべてのＣＳＩ−ＲＳ portに同じsequenceがマッピングされ、隣接するセルのsequenceとcorrelationが非常に高い場合、ＣＳＩ獲得（acquisition）及び/又はビーム管理（beam management、BM）を実行するとき、性能が劣化することができる。
【０２３１】
したがって、本明細書で提案する方法では、一種のダイバーシチ（diversity）効果として、特定のport groupに設定されたＣＳＩ−ＲＳ sequenceが干渉の影響を大きく受けても、他のＣＳＩ−ＲＳ portは干渉の影響を少なく受けることになる。
【０２３２】
これにより、システムの全体的な性能が大幅に劣化することを防止することができる。
【０２３３】
図４は、本明細書で提案する４−ｐｏｒｔ ＣＳＩ−ＲＳのＰＮシーケンスのマッピング方法の一例を示した図である。
【０２３４】
前に注意深く見た内容で、ＰＲＢ当たりのsequence lengthは、frequency-domainのＣＤＭ長さに応じて長くなることがある。
【０２３５】
例えば、ＦＤ（Frequency Domain）-ＣＤＭ４が設定される場合、各ＣＳＩ−ＲＳportにマッピングされる全sequence lengthのうちの一部のsequence lengthは、ＲＢごとに４又は４以下になることができる。また、先に注意深く見た内容で、同じＣＤＭ groupを構成するＣＳＩ−ＲＳ ｐｏｒｔは、特定のＯＦＤＭsymbolにおいてＲＢごとに１つのシーケンスの要素（sequence element）がマッピングされることができる。
【０２３６】
これに関連して、図５を参照する。
【０２３７】
ＣＳＩ−ＲＳ port間のspatial correlationが高くなることがあるという点を考慮して、orthogonal cover code（ＯＣＣ）としてWalsh codeよりDiscrete Fourier Transform（ＤＦＴ）ベースのＯＣＣが使用又は設定されることができる。
【０２３８】
さらに、互いに異なるセル間の干渉ランダム化（interference randomization）効果を増大させるために、component ＣＳＩ−ＲＳ ＲＥ patternが設定されるfrequency locationによって、sequenceがマッピングされることもある。
【０２３９】
ＣＳＩ−ＲＳ伝送（送信）帯域幅（transmission bandwidth（ＢＷ））上のすべてのsubcarrier ＲＥに（resource element）に対してsequence elementがマッピングされ、設定（又は指示）されるcomponent ＣＳＩ−ＲＳ ＲＥ patternの位置に対応するＲＥにsequence elementがマッピングされる。
【０２４０】
ここで、１つのcomponent ＣＳＩ−ＲＳ ＲＥ patternは、少なくとも一つのＣＤＭ groupを含むことができる。
【０２４１】
同じＣＤＭ groupを構成するＣＳＩ−ＲＳ portには、同じsequence elementがマッピングされる。
【０２４２】
例えば、４−port ＣＳＩ−ＲＳのＲＥ patternを決定するcomponent ＣＳＩ−ＲＳ ＲＥ pattern（４,１）がsubcarrier ＲＥ index ２、３、４、５の（indexing from ０）に設定されると、図６のようにport ０/１に等しいsequenceがマッピングされ、port ２/３に等しいsequenceがマッピングされる。
【０２４３】
上記component ＣＳＩ−ＲＳ ＲＥ pattern（４,１）において、「４」の値は、周波数領域（frequency domain）で隣接する（adjacent）ＲＥの数が４であることを意味し、「１」の値は、時間領域（time domain）で隣接する（adjacent）ＲＥの数が１であることを意味する。
【０２４４】
Component ＣＳＩ−ＲＳ ＲＥ pattern（４,１）の位置を異なるように設定すると、他のsequence elementsがマッピングされることができる。
【０２４５】
セル間（インターセル）干渉のランダム化（Inter-cell interference randomization）のために、component ＣＳＩ−ＲＳ ＲＥ patternが設定されることができる（subcarrier index）領域は、cell ＩＤによって異なることができる。
【０２４６】
図５は、本明細書で提案する４−port ＣＳＩ−ＲＳのＰＮシーケンスのマッピングの他の一例を示した図である。
【０２４７】
図５において、ＰＲＢ別に１つのシーケンスの要素は、各ＣＳＩ−ＲＳ portにマッピングされる。
【０２４８】
図６は、本明細書で提案する４−port ＣＳＩ−ＲＳのＰＮシーケンスのマッピングのさらに他の一例を示した図である。
【０２４９】
本明細書で提案するシーケンスマッピング（sequence mapping）方法は、ＣＳＩ−ＲＳだけでなく、ＤＭＲＳ、ＴＲＳ、ＰＴ−ＲＳなどの他のＲＳにも適用することができる。
【０２５０】
図７は、本明細書で提案する方法を実行するための端末の動作を示すフローチャートである。
【０２５１】
まず、端末は、チャネル状態情報参照信号（channel state information-reference signal、ＣＳＩ−ＲＳ）を基地局から受信する（Ｓ７１０）。
【０２５２】
そして、上記端末は、上記ＣＳＩ−ＲＳに基づいて測定（measurement）を行う（Ｓ７２０）。
【０２５３】
ここで、測定（measurement）は、ＣＳＩ−ＲＳを用いてチャネルを推定（estimation）し、ＣＳＩを計算（computation）する過程を含むことができる。
【０２５４】
そして、上記端末は、上記測定に関する情報を上記基地局に報告する（Ｓ７３０）。ここで、上記測定についての情報は、ＣＳＩ（Channel State Information）を意味することができる。
【０２５５】
上記ＣＳＩ−ＲＳのシーケンスは、擬似ランダムシーケンス（pseudo-random sequence）を用いて生成され、上記生成されたシーケンスは、リソースエレメント（ＲＥ）にマッピングされる。
【０２５６】
そして、上記擬似ランダムシーケンスの初期値は、第１factorと第２factorとの積に基づいて決定することができる。
【０２５７】
上記第１factorは（スロット内のＯＦＤＭシンボルの数×スロットインデックス＋スロット内ＯＦＤＭインデックス＋ １）であり、上記第２factorは（２×スクランブルＩＤ ＋ 1）であり得る。
【０２５８】
また、上記擬似ランダムシーケンスの初期値は、第３factorを
0006795693.tif 000186
でモジュロ（modulo）演算した値に基づいて決定され、上記第３factorは、上記第１factorと上記第２factorとの積に基づいてして決定されることができる。
【０２５９】
さらに具体的には、上記第３factorは、
0006795693.tif 000187
であり、上記Nは、31以上の自然数であり、上記Ｍは、Nよりも小さい整数である。
【０２６０】
上記Nは、３１であり、上記Ｍは、10であ有り得、上記スロット内のＯＦＤＭシンボルの数は、１４であり得る。
【０２６１】
また、上記スクランブルＩＤは、0から
0006795693.tif 000188
を有する。
【０２６２】
上記擬似ランダムシーケンスの初期値は、無線フレーム内の各ＯＦＤＭ氏ンボルごとに互いに異なる値を有することができる。
【０２６３】
そして、上記リソースエレメント（ＲＥ）は、時間、周波数、又はアンテナポートのうち、少なくとも一つを含む概念であり得る。
【０２６４】
そして、上記リソースエレメントは、少なくとも一つのＣＤＭ（Code Division Multiplexing）グループを含むことができる。
【０２６５】
先に注意深く見たように、一つのＣＤＭグループ内のアンテナポート（antenna port）には、同じシーケンスが使用され、互いに異なるＣＤＭグループ間のアンテナポートには、互いに異なるシーケンスを使用することができる。
【０２６６】
図８は、本明細書で提案する方法を実行するための基地局の動作を示すフローチャートである。
【０２６７】
まず、基地局は、擬似ランダムシーケンス（pseudo-random sequence）を用いて、チャネル状態情報参照信号（channel state information-reference signal、ＣＳＩ−ＲＳ）のシーケンスを生成する（Ｓ８１０）。
【０２６８】
そして、上記基地局は、上記生成されたシーケンスをリソースエレメント（Resource Element、ＲＥ）にマッピングする（Ｓ８２０）。
【０２６９】
そして、上記基地局は、上記マッピングされたリソースエレメント上で、上記ＣＳＩ−ＲＳを端末に伝送する（Ｓ８３０）。
【０２７０】
ここで、上記擬似ランダムシーケンスの初期値は、第１factorと第２factorとの積に基づいて決定され、上記第１factorは、（スロット内のＯＦＤＭシンボルの数×スロットインデックス＋スロット内ＯＦＤＭインデックス＋ １）であり、上記第２factorは、（２×スクランブルＩＤ ＋ １）であり得る。
【０２７１】
また、上記擬似ランダムシーケンスの初期値は、第３factorを
0006795693.tif 000189
でモジュロ（modulo）演算した値に基づいて決定され、上記第３factorは、上記第１factorと上記第２factorとの積に基づいて決定することができる。
【０２７２】
さらに具体的には、上記第３factorは、
0006795693.tif 000190
であり、上記Ｎは、３１より大きいか同じである自然数であり、上記Ｍは、Ｎより小さい整数である。
【０２７３】
上記Ｎは、３１であり、上記Ｍは、１０であり得、上記スロット内のＯＦＤＭシンボルの数は、１４であり得る。
【０２７４】
また、上記スクランブルＩＤは、０から
0006795693.tif 000191
を有する。
【０２７５】
さらに具体的には、上記擬似ランダムシーケンスの初期値は、以下の数式２４又は数式２５によって決定されることができる。
【０２７６】
＜数式２４＞
【数２５】
0006795693.tif 000192
【０２７７】
＜数式２５＞
【数２６】
0006795693.tif 000193
【０２７８】
上記擬似ランダムシーケンスの初期値は、無線フレーム内の各ＯＦＤＭシンボルごとに異なる値を有することができる。
【０２７９】
そして、上記リソースエレメント（ＲＥ）は、時間、周波数、又はアンテナポートのうち、少なくとも一つを含む概念であり得る。
【０２８０】
そして、上記リソースエレメントは、少なくとも一つのＣＤＭ（Code Division Multiplexing）グループを含むことができる。
【０２８１】
先に注意深く見たように、一つのＣＤＭグループ内のアンテナポート（antenna port）には、同じシーケンスが使用され、互いに異なるＣＤＭグループ間のアンテナポートには、互いに異なるシーケンスを使用することができる。
【０２８２】
本発明が適用されることができる装置一般
【０２８３】
図９は、本明細書で提案する方法が適用されることができる無線通信装置のブロック構成図を例示する。
【０２８４】
図９を参照すると、無線通信システムは、基地局９１０と、基地局領域内に位置する複数の端末９２０と、を含む。
【０２８５】
上記基地局及び端末は、それぞれの無線デバイスで表現されることもできる。
【０２８６】
基地局９１０は、プロセッサ（Processor、９１１）、メモリ（Memory、９１２）及びＲＦモジュール（Radio Frequency Module、９１３）を含む。プロセッサは、先の図１〜図８で提案された機能、プロセス及び/又は方法を実現する。無線インターフェースプロトコルの階層は、プロセッサによって実現されることができる。メモリは、プロセッサと接続されて、プロセッサを駆動するための様々な情報を記憶（貯蔵）する（stores）。ＲＦモジュールは、プロセッサと接続されて、無線信号を送信及び/又は受信する。
【０２８７】
端末は、プロセッサ９２１、メモリ９２２及びＲＦモジュール９２３を含む。
【０２８８】
プロセッサは、先に図１〜図８で提案された機能、プロセス及び/又は方法を実現する。無線インターフェースプロトコルの階層は、プロセッサによって実現されることができる。メモリは、プロセッサと接続されて、プロセッサを駆動するための様々な情報を記憶する。ＲＦモジュールは、プロセッサと接続されて、無線信号を送信及び/又は受信する。
【０２８９】
メモリ（９１２、９２２）は、プロセッサ（９１１、９２１）の内部又は外部にあることができ、よく知られている様々な手段でプロセッサと接続することができる。
【０２９０】
また、基地局及び/又は端末は、一本のアンテナ（single antenna）、又は複数の（多重の）アンテナ（multiple antenna）を有することができる。
【０２９１】
さらに、本明細書でＲＦモジュールは、トランシーバ（transceiver）で表現されることもある。
【０２９２】
図１０は、本発明の一実施形態に係る通信装置のブロック構成図を例示する。
【０２９３】
特に、図１０においては、先の図９の端末をさらに詳細に例示する図である。
【０２９４】
図１０を参照すると、端末は、プロセッサ（又はデジタル信号プロセッサ（ＤＳＰ：Digital Signal Processor）１０１０、ＲＦモジュール（ＲＦ module）（又はＲＦユニット）１０３５、電力管理モジュール（power management module）１００５、アンテナ（antenna）１０４０、バッテリ（battery）１０５５、ディスプレイ（display）１０１５、キーパッド（keypad）１０２０、メモリ（memory）１０３０、ＳＩＭカード（ＳＩＭ（Subscriber Identification Module）card）１０２５（この構成は、オプションである）、スピーカ（speaker）１０４５及びマイク（microphone）１０５０から構成されることができる。端末は、また、単一のアンテナ又は複数のアンテナを含むことができる。
【０２９５】
プロセッサ１０１０は、先に図１〜図８で提案された機能、プロセス及び/又は方法を実現する。無線インターフェースプロトコルの階層は、プロセッサによって実現されることができる。
【０２９６】
メモリは、プロセッサと接続され、プロセッサの動作に関連する情報を記憶する。メモリは、プロセッサの内部又は外部に有り得、よく知られている様々な手段でプロセッサと接続することができる。
【０２９７】
ユーザは、例えば、キーパッド１０２０のボタンを押すか、（あるいはタッチするか）又はマイクロホン１０５０を用いた音声駆動（voice activation）によって、電話番号などの命令情報を入力する。プロセッサは、これらの命令情報を受信し、電話番号に電話をかけるなど、適切な機能を実行するように処理する。動作（駆動）上のデータ（operational data）は、ＳＩＭカード１０２５又はメモリ１０３０から抽出することができる。さらに、プロセッサは、ユーザが認知し、また便宜のために、命令情報又は動作（駆動）情報をディスプレイ１０１５上にディスプレイすることができる。
【０２９８】
ＲＦモジュール１０３５は、プロセッサに接続されて、ＲＦ信号を送信及び/又は受信する。プロセッサは、通信を開始するために、例えば、音声通信データを構成する無線信号を伝送するように命令情報をＲＦモジュールに伝達する。ＲＦモジュールは、無線信号を受信及び送信するために受信器（receiver）及び伝送器（送信器）（transmitter）で構成される。アンテナ１０４０は、無線信号を送信及び受信する機能を実行する。無線信号を受信するとき、ＲＦモジュールは、プロセッサによって処理するために信号を伝達しベースバンド（基低帯域）（baseband）に信号を変換することができる。処理された信号は、スピーカ１０４５を介して出力される可聴又は可読情報に変換することができる。
【０２９９】
図１１は、本明細書で提案する方法が適用されることができる無線通信装置のＲＦモジュールの一例を示した図である。
【０３００】
具体的には、図１１は、ＦＤＤ（Frequency Division Duplex）システムで実現することができるＲＦモジュールの一例を示す。
【０３０１】
まず、伝送パスにおいて、図９及び図１０で記述されたプロセッサは、伝送されるデータを処理して、アナログ出力信号を送信器１１１０に提供する。
【０３０２】
送信器１１１０内で、アナログ出力信号は、デジタルアナログ変換（ＡＤＣ）によって引き起こされるイメージを除去するためにローパスフィルタ（Low Pass Filter、ＬＰＦ）１１１１によってフィルタリングされ、アップコンバータ（Ｍｉｘｅｒ、１１１２）によってベースバンドからＲＦにアップコンバートされ、可変利得アンプ（Variable Gain Amplifier、ＶＧＡ）１１１３によって増幅され、増幅された信号は、フィルタ１１１４によってフィルタリングされ、パワーアンプ（Power Amplifier、ＰＡ）１１１５によって追加で増幅され、デュプレクサ１１５０／アンテナスイッチ１１６０を介してルーティングされ、アンテナ１１７０を介して伝送される。
【０３０３】
また、受信パスにおいて、アンテナ１１７０は、外部からの信号を受信し、受信した信号を提供し、これらの信号は、アンテナスイッチ１１６０／デュプレクサ１１５０を介してルーティングされ、受信器１１２０に提供される。
【０３０４】
受信器１１２０内で、受信した信号は、低雑音増幅器（Low Noise Amplifier、ＬＮＡ）１１２３によって増幅され、帯域通過フィルタ１１２４によってフィルタリングされ、ダウンコンバータ（Mixer、１１２５）によってＲＦからベースバンドにダウンコンバートされる。
【０３０５】
上記ダウンコンバートされた信号は、低域通過（ローパス）フィルタ（ＬＰＦ、１１２６）によってフィルタリングされ、ＶＧＡ１１２７によって増幅され、アナログ入力信号を獲得し、これは、図９及び図１０で記述されたプロセッサによって提供される。
【０３０６】
また、ローカル発振器（Local Oscillator、ＬＯ）１１４０は、伝送及び受信ＬＯ信号を生成し、アップコンバータ１１１２及びダウンコンバータ１１２５にそれぞれ提供する。
【０３０７】
また、位相ロックループ（Phase Locked Loop、ＰＬＬ）１１３０は、適切な周波数で伝送及び受信ＬＯ信号を生成するために、プロセッサからの制御情報を受信し、制御信号をＬＯ発振（発生）器１１４０に提供する。
【０３０８】
また、図１１に図示された回路は、図１１に図示された構成と異なるように配列されることもある。
【０３０９】
図１２は、本明細書で提案する方法が適用されることができる無線通信装置のＲＦモジュールの他の一例を示した図である。
【０３１０】
具体的には、図１２は、ＴＤＤ（Time Division Duplex）システムで実現することができるＲＦモジュールの一例を示す。
【０３１１】
ＴＤＤシステムでのＲＦモジュールの送信器１２１０及び受信器１２２０は、ＦＤＤシステムでのＲＦモジュールの送信器及び受信器の構造と同一である。
【０３１２】
以下、ＴＤＤシステムのＲＦモジュールは、ＦＤＤシステムのＲＦモジュールと異なる（差が出る）構造に対してのみ注意深く見ることにし、同じ構造については、図１１の説明を参照する。
【０３１３】
送信器の電力増幅器（Power Amplifier、ＰＡ１２１５によって増幅された信号は、バンド選択スイッチ（Band Select Switch、１２５０）、バンド通過フィルタ（ＢＰＦ、１２６０）、及びアンテナスイッチ１２７０を介してルーティングされ、アンテナ１２８０を介して伝送される。
【０３１４】
また、受信パスで、アンテナ１２８０は、外部から信号を受信して、受信した信号を提供し、これらの信号は、アンテナスイッチ１２７０、バンドパスフィルタ１２６０及びバンド選択スイッチ１２５０を介してルーティングされ、受信器１２２０に提供される。
【０３１５】
以上で説明した実施例は、本発明の構成要素及び特徴が所定の形態で結合されたものである。各構成要素又は特徴は、別の明示的な言及がない限り選択的なものを検討されるべきである。各構成要素又は特徴は、他の構成要素や特徴と結合されない形態で実施されることができる。また、一部の構成要素及び／又は特徴を結合して、本発明の実施形態を構成することも可能である。本発明の実施形態で説明される動作の順序は、変更されることができる。いずれの実施形態の一部の構成や特徴も、他の実施形態に含まれることができ、又は他の実施形態に対応する構成又は特徴と置き換えることができる。特許請求の範囲で明示的な引用関係がない請求項を結合して実施形態を構成したり、出願後の補正により新しい請求項として含めることができることは自明である。
【０３１６】
本発明に係る実施形態は、様々な手段、例えば、ハードウェア、ファームウェア（firmware）、ソフトウェア又はそれらの組み合わせなどにより実現されることができる。ハードウェアによる実現の場合、本発明の一実施形態は、一つ又は複数のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラ、マイクロコントローラ、マイクロプロセッサなどにより実現されることができる。
【０３１７】
ファームウェアやソフトウェアによる実現の場合、本発明の一実施形態は、以上で説明した機能又は動作を実行するモジュール、プロシージャ（（procedure）、関数などの形態で実現されることができる。ソフトウェアコードは、メモリに記憶されてプロセッサによって実行（駆動）されることができる。上記メモリは、上記プロセッサの内部又は外部に位置して、既に公知された多様な手段により、上記プロセッサとデータを送受信することができる。
【０３１８】
本発明は、本発明の必須的特徴を逸脱しない範囲で他の特定の形態で具体化されることがあることは、通常の技術者にとって自明である。したがって、前述した詳細な説明は、すべての面で制限的に解釈してはならないし、例示的なものとみなされるべきである。本発明の範囲は、添付された請求項の合理的解釈によって決定されるべきであり、本発明の等価的範囲内でのすべての変更は、本発明の範囲に含まれる。
【産業上の利用可能性】
【０３１９】
本発明の無線通信システムで参照信号シーケンスを初期化設定する方法（方案）（method）は、３ＧＰＰ ＬＴＥ/ＬＴＥ−Ａシステム、５Ｇシステム（Ｎｅｗ ＲＡＴシステム）に適用される例を中心に説明したが、これ以外にも様々な無線通信システムに適用することが可能である。
【図１】
0006795693.tif 000197
【図２】
0006795693.tif 000198
【図３】
0006795693.tif 000199
【図４】
0006795693.tif 000200
【図５】
0006795693.tif 000201
【図６】
0006795693.tif 000202
【図７】
0006795693.tif 000203
【図８】
0006795693.tif 000204
【図９】
0006795693.tif 000205
【図１０】
0006795693.tif 000206
【図１１】
0006795693.tif 000207
【図１２】
0006795693.tif 000208